(57)【特許請求の範囲】
【請求項１】
端子を備えたＥＬ部材と、前記ＥＬ部材を装着するためのＥＬ装着面を備えた回路基板とを有する照明装置において、
前記ＥＬ部材には、前記端子を接続するための前記ＥＬ部材の端辺から外部に張り出した部分が形成され、
前記端子は、前記外部に張り出した部分が形成された前記ＥＬ部材の端辺と平行の方向に延びるように、当該外部に張り出した部分の両側辺に接続され、
前記ＥＬ装着面において前記端子と前記回路基板が接続されていることを特徴とする照明装置。
【請求項２】
請求項１記載の照明装置において、前記回路基板は前記ＥＬ装着面の裏側に回路実装面を有し、その回路実装面はスルーホールを介して前記ＥＬ装着面に導通することを特徴とする照明装置。
【発明の詳細な説明】
【０００１】
【発明の属する技術分野】
本発明は、任意の対象物を照明するために用いられる照明装置に関する。また本発明は、その照明装置を用いた液晶装置及び電子機器に関する。
【０００２】
【従来の技術】
現在、携帯電話機、携帯情報端末器等といった各種の電子機器において液晶装置が広く用いられている。多くの場合は、文字、数字等といった可視情報を表示するためにその液晶装置が用いられる。液晶装置は、一般に、一対の基板及びそれらの基板間に封入された液晶を含んで構成された液晶パネルと、その液晶パネルに装着される照明装置とを有する。
【０００３】
上記の照明装置としては、ＬＥＤ等といった点状の発光源で発生する光を導光体を用いて面状に発光させる構造の照明装置や、面状の発光源であるＥＬ（Electro Luminescence）部材を用いた照明装置等といった各種の照明装置が知られている。
【０００４】
ＥＬ部材を用いた照明装置として、従来、図３に示すような構造の照明装置が知られている。この照明装置５１は、ＥＬ部材５２及び回路基板５３を有しており、ＥＬ部材５２には外側へ突出するリード端子５４が設けられている。ＥＬ部材５２は発光面５２ａの裏側面が回路基板５３のＥＬ装着面５３ａに貼り付けられ、さらに図４に示すように、リード端子５４が回路基板５３の裏側へ折り曲げられ、その折り曲げ状態で回路基板５３のランド５６に半田付け等によって接続される。
【０００５】
【発明が解決しようとする課題】
しかしながら上記従来の照明装置に関しては、▲１▼金属端子であるリード端子を折り曲げるために端子自身の信頼性が低下すること、▲２▼折り曲げられたリード端子の反力によって端子接続部に応力が発生して接続信頼性が低下すること、さらに▲３▼端子が外部から容易に触れることができるために安全性が低下すること等といった問題点があった。
【０００６】
本発明は上記の問題点に鑑みて成されたものであって、ＥＬ部材を用いた照明装置に関して端子部の接続信頼性及び安全性を向上することを目的とする。
【０００７】
【課題を解決するための手段】
（１）  上記の目的を達成するため、本発明に係る照明装置は、端子を備えたＥＬ部材と、前記ＥＬ部材を装着するためのＥＬ装着面を備えた回路基板とを有する照明装置において、前記ＥＬ部材には、前記端子を接続するための前記ＥＬ部材の端辺から外部に張り出した部分が形成され、前記端子は、前記外部に張り出した部分が形成された前記ＥＬ部材の端辺と平行の方向に延びるように当該外部に張り出した部分に接続され、前記ＥＬ装着面において前記端子と前記回路基板が接続されていることを特徴とする。
【０００８】
この照明装置では、ＥＬ部材の端子が折り曲げられることなく、初期状態のままで回路基板のＥＬ装着面の適所に導電接続されるので、折り曲げによる端子自身の劣化がなくなり、端子に反力が発生しないので接続信頼性が向上し、さらに端子が回路基板の外部に露出しないので安全性が向上する。
【０００９】
（２）  上記回路基板は抵抗、コンデンサ等といったチップ部品や、ＩＣチップ等を搭載するための回路実装面を備えるが、ＥＬ部材を装着するためのＥＬ装着面はその回路実装面と同一面とすることもできるし、あるいは、その回路実装面と反対側の面とすることもできる。しかしながら、ＥＬ装着面の裏側を回路実装面とすれば、すなわちＥＬ部材を回路実装面の反対側に装着することにすれば、その装着のための作業性が向上し、さらに、ＥＬ部材と回路基板と貼り合せた後の厚さを薄くできる。なお、回路実装面の裏側をＥＬ装着面とする場合には、その回路実装面はスルーホールを介してＥＬ装着面に導通させることができる。
【００１０】
（３）  次に、本発明に係る液晶装置は、一対の基板及びそれらの基板間に封入された液晶を含んで構成された液晶パネルと、その液晶パネルに装着される照明装置とを有する液晶装置において、その照明装置が上記（１）又は（２）に記載の照明装置によって構成されることを特徴とする。
【００１１】
（４）  次に、本発明に係る電子機器は、一対の基板及びそれらの基板間に封入された液晶を含んで構成された液晶パネルと、その液晶パネルに装着される照明装置とを有する電子機器において、その照明装置が上記（１）又は（２）に記載の照明装置によって構成されることを特徴とする。
【００１２】
【発明の実施の形態】
（第１実施形態）
本発明に係る照明装置は、それ単独で種々の用途に用いることができるものであるが、以下の説明ではその照明装置を液晶装置に組み込んで使用する場合を例示するものとする。図１は、本発明に係る照明装置の一実施形態及びそれを用いた液晶装置の一実施形態を示している。ここに示す液晶装置１は、液晶パネル２、液晶駆動用ＩＣ４が実装されたフレキシブル回路基板６及び照明装置３とを含んで構成される。フレキシブル回路基板６は液晶パネル２に導電接続されている。
【００１３】
液晶パネル２は、シール材（図示せず）によって互いに貼り合わされた一対の透光性基板７ａ及び７ｂと、それらの基板間に形成される微小間隙、いわゆるセルギャップに封入された液晶８とを含んで構成される。透光性基板７ａ及び７ｂは、例えば、ガラス、プラスチック等によって形成される。透光性基板７ａ及び７ｂの外側表面には偏光板９が貼着される。
【００１４】
各透光性基板７ａ及び７ｂの内側表面にはＩＴＯ（Indium Tin Oxide）等によって透光性電極（図示せず）が形成される。また、各透光性基板７a及び７bのうち相対する他方の透光性基板７b及び７aの外側に張出す部分には、ぞれぞれ、上記透光性電極につながる端子１１a及び１１bが形成される。
【００１５】
フレキシブル回路基板６には適宜の配線パターン（図示せず）が形成されるが、それらの配線パターンの中には、辺端部分に形成される端子１２a及び１２bが含まれる。フレキシブル回路基板６は、それらの端子１２a及び１２bが液晶パネル２側の端子１１a及び１１bに導電接続するように、ＡＣＦ（Anisotropic Conductive Film：異方性導電膜）等といった異方性導電接着剤によって各透光性基板７a及び７bに接着される。
【００１６】
照明装置３は、ＥＬ部材１３及び回路基板１４を含んで構成される。ＥＬ部材１３は、周知の通り、一対の面状の透光性電極によってＥＬ発光層を挟むことによって形成された面状の発光源であり、各透光性電極はＥＬ部材１３の本体部分の外部へ張り出すリード端子１６，１６につながっている。図では、ＥＬ部材１３の上面側が発光面であり、この発光面から放射される光が液晶パネル２を通過する間に液晶の配向に応じて変調される。
【００１７】
これらのリード端子１６は、ＥＬ部材１３の端辺１３ａと平行の方向に延びるように設けられている。こうすれば、これらのリード端子１６を端辺１３ａと直角の方向、すなわちＥＬ部材１３から突き出る方向に設ける場合に比べて、省スペース化を達成できる。
【００１８】
回路基板１４は、図の上面がＥＬ装着面１４ａであり、その反対面（すなわち、図の裏面）が回路実装面１４ｂである。回路実装面１４ｂには、ＥＬ部材１３を駆動するために必要となる駆動回路やその他の必要な回路が組みつけられる。回路実装面１４ｂは、ＩＣチップ、受動素子チップ等といった各種の部品を組み付ける関係上、その表面が凹凸状態になっている。一方、ＥＬ装着面１４ａには部品が組み付けられないので、そのＥＬ装着面１４ａは平坦面となっている。
【００１９】
回路基板１４のＥＬ装着面１４ａの一端部にはランド１７が形成され、それらのランド１７が導電性スルーホール１８，１８を介して裏側の回路実装面１４ｂに導電接続されている。
【００２０】
本実施形態では、ＥＬ部材１３は回路実装面１４ｂの反対面であるＥＬ装着面１４ａに貼着され、さらにリード端子１６，１６が回路基板１４上のランド１７，１７に半田付け等によって接続される。これにより、ＥＬ部材１３を構成する電極が回路基板１４上の駆動回路に接続される。また、液晶装置２の底面に照明装置３を配置させた状態でフレキシブル回路基板６，６を折り曲げて、それらの端子１５，１５を回路基板１４の回路実装面１４ｂに導電接続する。
【００２１】
以上のように本実施形態では、ＥＬ部材１３のリード端子１６が回路基板１４のＥＬ装着面１４ａと同一の面に接続されており、図４に示した従来装置におけるリード端子５４のように回路基板の外側で折り曲げる必要がなくなった。このように、ＥＬ部材１３のリード端子１６を折り曲げることなく初期状態のままで回路基板１４のＥＬ装着面１４ａのランド１７に導電接続できるので、折り曲げによる端子１６自身の劣化を防止でき、端子１６に反力が発生することを防止することにより接続信頼性を向上でき、さらに端子１６が回路基板１４の外部に露出しないので安全性が向上する。
【００２２】
（第２実施形態）
図２は、本発明に係る電子機器の一実施形態である携帯電話機の一実施形態を示している。ここに示す携帯電話機２１は、複数のキースイッチ２２を備えたベース部２３と、そのベース部２３に回転移動可能に接続されていてアンテナ２４を備えたカバー２６とを有する。カバー２６の内部には、例えば図１に示す液晶装置１がその画像表示領域が外部へ露出するように配設されている。
【００２３】
（その他の実施形態）
以上、好ましい実施形態を挙げて本発明を説明したが、本発明はその実施形態に限定されるものでなく、請求の範囲に記載した発明の範囲内で種々に改変できる。
【００２４】
例えば、図１では、ＥＬ部材１３を含む照明装置３を予め液晶装置１の中に組み込む場合を例示したが、照明装置３は液晶パネル２と別々に取り扱うこともできる。その場合には、照明装置３と液晶パネル２とを必要に応じて必要な所で組み付けることになる。また、照明装置３が液晶パネル２以外の任意の対象物を照明するために用いることができることはもちろんである。
【００２５】
また、図１に示すＥＬ部材１３では、ＥＬ部材１３の本体部分から外部へ張り出すリード端子１６を用いたが、本体部分の外部へ張り出さない構造の端子、例えばバンプ状の端子によってＥＬ部材１３の端子を構成することもできる。また、電子機器としては図２に示す構造の携帯電話機に限られず他の任意の構造から成る携帯電話機、あるいは携帯電子端末器その他の任意の種類の電子機器が考えられる。また、図１の実施形態では、回路基板１４の回路実装面１４ｂの反対面をＥＬ実装面１４ａとしてそのＥＬ実装面１４ａにＥＬ部材１３を接着するようにしたが、回路基板の回路実装面にＥＬ部材を接着することもできる。
【００２６】
【発明の効果】
本発明に係る照明装置、液晶装置及び電子機器によれば、ＥＬ部材の端子が折り曲げられることなく、初期状態のままで回路基板のＥＬ装着面の適所に導電接続されるので、折り曲げによる端子自身の劣化がなくなり、端子に反力が発生しないので接続信頼性が向上し、さらに端子が回路基板の外部に露出しないので安全性が向上する。
【図面の簡単な説明】
【図１】本発明に係る照明装置の一実施形態及びそれを用いた液晶装置の一実施形態を示す分解斜視図である。
【図２】本発明に係る電子機器の一実施形態を示す斜視図である。
【図３】従来の照明装置の一例を示す分解斜視図である。
【図４】図３の照明装置の側面図である。
【符号の説明】
１          液晶装置
２          液晶パネル
３          照明装置
４          液晶駆動用ＩＣ
６          フレキシブル回路基板
７ａ，７ｂ  透光性基板
８          液晶
９          偏光板
１１ａ，１１ｂ  端子
１２ａ，１２ｂ  端子
１３          ＥＬ部材
１４          回路基板
１４ａ        ＥＬ装着面
１４ｂ        回路実装面
１６          リード端子
１７          ランド
１８          導電性スルーホール
２１          携帯電話機
【図１】
0004032493.tif 000002
【図２】
0004032493.tif 000003
【図３】
0004032493.tif 000004
【図４】
0004032493.tif 000005